(57)【特許請求の範囲】
【請求項１】
オーブン本体と、該オーブン本体の開口部に開閉し且つ閉方向に付勢された扉とを備えるオーブンの扉の開度調整機構であって、
前記扉の両端部にはブラケットが設けられ、少なくとも一方のブラケットには複数の小孔が形成され、該小孔に取外し自在に取付ける扉ストッパーを備え、
前記小孔に前記扉ストッパーを取付け、該扉ストッパーを前記オーブン本体の正面板に当接させて前記扉の開状態を所要幅に維持することを特徴とするオーブンの扉の開度調整機構。
【請求項２】
前記各小孔は、前記正面板からの距離がそれぞれ異なる位置に形成されていることを特徴とする請求項１に記載のオーブンの扉の開度調整機構。
【請求項３】
前記扉ストッパーは、一端に軸部を有し他端に鍔部を有する軸本体と、前記軸部の基部に嵌着するリング状の磁石部材と、該磁石部材及び前記軸本体に嵌着するリング状のストッパー用ゴムとからなることを特徴とする請求項１に記載のオーブンの扉の開度調整機構。
【発明の詳細な説明】
【技術分野】
【０００１】
本発明は、オーブンの扉の開度調整機構に関するものであり、更に詳しくは、炉内の湿度を調整するために扉の開状態が維持できるように構成した、オーブンの扉の開度調整機構に関するものである。
【背景技術】
【０００２】
従来、この種のオーブンの扉の開度調整機構としては、図７（イ）（ロ）に示す構成のものが知られている。この扉の開度調整機構は、扉１の側部に回転自在に設けた開度調整板２と、オーブン本体３の開口端に設けた係留用ピン４とから構成される（特許文献１参照）。
【０００３】
扉１は、下端部の軸部５に設けた巻きバネ６によって閉方向に付勢されている。また、開度調整板２は、ピン７を中心にして回転自在に形成されると共に、周縁部に３箇所の切欠部２ａ、２ｂ、２ｃが形成されている。それぞれの切欠部２ａ、２ｂ、２ｃは、係留用ピン４からの距離が異なり、また、係留用ピン４と係合するように構成されている。
【０００４】
このような構成のオーブンの扉の開度調整機構は、一方の手で把手８を把持して扉１を半開にした状態で、他方の手で開度調整板２を回転させて位置決めし、さらに扉１を閉めながら、所望位置の切欠部２ａ、２ｂ、２ｃと係留用ピン４とを係合させて、扉１を所定開度に維持するのである。
【特許文献１】特開２００２−１６２０４２号公報
【発明の開示】
【発明が解決しようとする課題】
【０００５】
この従来のオーブンの扉の開度調整機構においては、扉１を閉める動作と、開度調整板２の位置決めをする動作とを同時におこないながら、所望位置の切欠部２ａ、２ｂ、２ｃと係留用ピン４とを係合させる動作をおこなう必要がある。つまり、これら３つの動作を両手を使って同時におこなう作業は結構煩雑であり、作業性が悪いという欠点を有している。
【０００６】
また、このような煩雑な作業の下では、切欠部の２ａ、２ｂ、２ｃの係合位置を間違えて係留用ピン４に係合させるミスが生じやすく、また、開度調整板２と係留用ピン４との間に誤って指を挟む事故を起こしやすいという欠点がある。
【０００７】
従って、従来例におけるオーブンの扉の開度調整機構においては、開度調整の作業性を良好にすることと、作業ミスを防止して作業が安全におこなえるようにすることとに解決しなければならない課題を有している。
【課題を解決するための手段】
【０００８】
前記従来例の課題を解決する具体的手段として本発明は、オーブン本体と、該オーブン本体の開口部に開閉し且つ閉方向に付勢された扉とを備えるオーブンの扉の開度調整機構であって、前記扉の両端部にはブラケットが設けられ、少なくとも一方のブラケットには複数の小孔が形成され、該小孔に取外し自在に取付ける扉ストッパーを備え、前記小孔に前記扉ストッパーを取付け、該扉ストッパーを前記オーブン本体の正面板に当接させて前記扉の開状態を所要幅に維持することを特徴とするオーブンの扉の開度調整機構を提供するものである。
【０００９】
また、前記各小孔は、前記正面板からの距離がそれぞれ異なる位置に形成されている構成としたものであり、そして、前記扉ストッパーは、一端に軸部を有し他端に鍔部を有する軸本体と、前記軸部の基部に嵌着するリング状の磁石部材と、該磁石部材及び前記軸本体に嵌着するリング状のストッパー用ゴムとからなる構成としたものである。
【発明の効果】
【００１０】
本発明に係るオーブンの扉の開度調整機構は、オーブン本体と、該オーブン本体の開口部に開閉し且つ閉方向に付勢された扉とを備えるオーブンの扉の開度調整機構であって、前記扉の両端部にはブラケットが設けられ、少なくとも一方のブラケットには複数の小孔が形成され、該小孔に取外し自在に取付ける扉ストッパーを備え、前記小孔に前記扉ストッパーを取付け、該扉ストッパーを前記オーブン本体の正面板に当接させて前記扉の開状態を所要幅に維持することによって、扉の開度調整が速やかにおこなえて、その作業性が極めて良好である。
即ち、扉ストッパーを所望位置の小孔に取付けて扉を閉めれば、扉の開状態が所要幅に維持できるので、従来例のような煩雑な動作を必要としないという優れた効果を奏する。
【００１１】
また、各小孔は、前記正面板からの距離がそれぞれ異なる位置に形成されていることによって、扉ストッパーを取付ける小孔の位置の違いにより、扉ストッパーが正面板と当接したときに扉の開度が異なることとなる。従って、扉ストッパーを取付ける小孔を適宜に選択することによって、扉の開度を小幅、中幅、大幅などの種々の幅に設定できるという優れた効果を奏する。
【００１２】
そして、前記扉ストッパーは、一端に軸部を有し他端に鍔部を有する軸本体と、前記軸部の基部に嵌着するリング状の磁石部材と、該磁石部材及び前記軸本体に嵌着するリング状のストッパー用ゴムとからなることによって、軸部を小孔に挿入した時に磁石部材がブラケットに吸着するので、扉ストッパーの取付状態が安定する。
また、扉ストッパーがオーブン本体の正面板に当接する時にストッパー用ゴムがクッションの役割を果たすので、当接音が静かでソフトに当接するという種々の優れた効果を奏する。
【発明を実施するための最良の形態】
【００１３】
次に、本発明の実施の形態について図面を参照しながら説明する。まず、図１及び図２において、符号１１はオーブンの扉の開度調整機構を示し、この扉の開度調整機構１１は、ブラケット１２に設けられる複数の小孔１２ａ、１２ｂ、１２ｃ、１２ｄと、この小孔に取外し自在に取付ける扉ストッパー１３とを備え、所望位置の小孔１２ａ、１２ｂ、１２ｃに取付けた扉ストッパー１３が、オーブン本体１５のサイドカバー（正面板）１５ａに当接して扉１７の開状態が所要幅に維持できるように構成される。
【００１４】
オーブン１４は、オーブン本体１５と、このオーブン本体１５の開口部１６に開閉し且つ閉方向に付勢された扉１７とを備える。また、開口部１６の両側には、サイドカバー（正面板）１５ａが設けられている。
【００１５】
扉１７の下部には、図３に示すように、回動軸１８が設けられており、この回動軸１８の両端部が、軸受け１９、軸受け１９で回動自在に支持されている。
【００１６】
回動軸１８の一端部とその上部との間には、扉スプリング機構２０が設けられている。扉スプリング機構２０は、図４に示すように、回動軸１８の一端部に固着されたスプリングアーム２１と、このスプリングアーム２１に接続するチェン２２と、このチェン２２の上端部がフック２３ａを介して接続する扉スプリング本体２３と、この扉スプリング本体２３の上部が保持されるスプリング止め金具２４とからなる。
【００１７】
このように、回動軸１８の一端部に扉スプリング機構２０が接続されていることによって、扉１７の開閉時において開閉力又は制動力を回動軸１８に付与して扉１７の開閉操作がスムーズになると共に、扉１７が閉方向に付勢される。なお、扉１７を全開にしたときには、扉スプリング機構２０の付勢力よりも扉１７の自重が勝るので、扉１７は全開状態が維持される。
【００１８】
ブラケット１２は、ステンレス等の金属製材料で形成されている。また、図５（イ）及び図２に示すように、Ｌ字状に形成されており、基部１２ｅが扉１７の端部にビス２５で固着されている。このブラケット１２は、図３に示すように、扉１７の両方の端部に設けられており、これらブラケット１２、１２の間に渡って把手２６が設けられている。把手２６は、その両端部２６ａがブラケット１２の先端部にビス２７で固着されている。
【００１９】
少なくとも一方のブラケット１２には、図５（ロ）に示すように、複数の小孔１２ａ、１２ｂ、１２ｃ、１２ｄが貫通した状態で設けられている。所望位置の小孔１２ａ、１２ｂ、１２ｃ、１２ｄに、扉ストッパー１３の軸部２８を挿入して、扉ストッパー１３をブラケット１２に取付けることができる。
【００２０】
各小孔１２ａ、１２ｂ、１２ｃ、１２ｄは、サイドカバー（正面板）１５ａからの距離がそれぞれ異なる位置に形成されている。従って、扉ストッパー１３を取付ける小孔１２ａ、１２ｂ、１２ｃの位置の違いにより、扉ストッパー１３がサイドカバー１５ａと当接したときに扉１７の開度が異なることとなる。即ち、扉ストッパー１３を取付ける小孔１２ａ、１２ｂ、１２ｃを適宜に選択することによって、扉１７の開度を小幅、中幅、大幅などの種々の幅に設定できるのである（図１参照）。
【００２１】
なお、小孔１２ｄは、そこに取付けた扉ストッパー１３がサイドカバー１５ａと当接せず、扉１７が全閉となる。扉１７を開状態に維持する必要がないときは、扉ストッパー１３を小孔１２ｄに取付けておくことが望ましい。
【００２２】
扉ストッパー１３は、図６（イ）（ロ）（ハ）（ニ）に示すように、一端に軸部２８を有し他端に鍔部２９を有する軸本体３０と、軸部２８の基部に嵌着するリング状の磁石部材３１と、この磁石部材３１及び軸本体３０に嵌着するリング状のストッパー用ゴム３２とからなる。
【００２３】
扉ストッパー１３の鍔部２９側には、ボールチェン３３の一端部がビス３４で固着されており、ボールチェン３３の他端部は、ブラケット１２の先端部にビス２７で固着されている（図２参照）。
【００２４】
このような構成の扉ストッパー１３は、上述のように、軸部２８を所望位置の小孔１２ａ、１２ｂ、１２ｃ、１２ｄに挿入してブラケット１２に取付ける。この時、磁石部材３１がブラケット１２に吸着するので、扉ストッパー１３の取付状態が安定する。
【００２５】
また、扉１７を閉方向に移動させて、扉ストッパー１３がオーブン本体１５のサイドカバー１５ａと当接する時には、ストッパー用ゴム３２がクッションの役割を果たすので、当接音が静かでソフトに当接する。
【００２６】
以上のような構成のオーブンの扉の開度調整機構１１は、所望位置の小孔１２ａ、１２ｂ、１２ｃに軸部２８を挿入して、扉ストッパー１３をブラケット１２に取付ける。そして、扉１７を閉方向に移動させれば、ストッパー用ゴム３２がオーブン本体１５のサイドカバー１５ａと当接して扉１７の開状態が所要幅に維持できる。このように、扉１７の開度調整が速やかにおこなえてその作業性が極めて良好である。
【図面の簡単な説明】
【００２７】
【図１】本発明に係るオーブンの扉の開度調整機構１１を説明する、一部を省略したオーブン１４の側面図である。
【図２】本発明に係るオーブンの扉の開度調整機構１１を説明する、要部の平面図である。
【図３】扉１７の構造を説明する、一部を省略したオーブン１４の正面図である。
【図４】扉スプリング機構２０を説明する、要部の側面図である。
【図５】（イ）ブラケット１２の平面図である。（ロ）ブラケット１２の側面図である。
【図６】（イ）扉ストッパー１３の縦断面図である。（ロ）軸本体３０の正面図である。（ハ）磁石部材３１の縦断面図である。（ニ）ストッパー用ゴム３２の縦断面図である。
【図７】（イ）（ロ）従来例に係るオーブンの扉の開度調整機構を説明する、オーブンの側面図である。
【符号の説明】
【００２８】
１    扉
２    開度調整板
２ａ、２ｂ、２ｃ切欠部
３    オーブン本体
４    係留用ピン
５    軸部
６    巻きバネ
７    ピン
８    把手
１１  オーブンの扉の開度調整機構
１２  ブラケット
１２ａ、１２ｂ、１２ｃ、１２ｄ小孔
１２ｅ基部
１３  扉ストッパー
１４  オーブン
１５  オーブン本体
１５ａサイドカバー（正面板）
１６  開口部
１７  扉
１８  回動軸
１９  軸受け
２０  扉スプリング機構
２１  スプリングアーム
２２  チェン
２３  扉スプリング本体
２３ａフック
２４  スプリング止め金具
２５  ビス
２６  把手
２６ａ端部
２７  ビス
２８  軸部
２９  鍔部
３０  軸本体
３１  磁石部材
３２  ストッパー用ゴム
３３  ボールチェン
３４  ビス
【図１】
0005171322.tif 000002
【図２】
0005171322.tif 000003
【図３】
0005171322.tif 000004
【図４】
0005171322.tif 000005
【図５】
0005171322.tif 000006
【図６】
0005171322.tif 000007
【図７】
0005171322.tif 000008